(57)【要約】【課題】施解錠カードを紛失した場合の不正利用を防止し、防犯性の向上を図る。【解決手段】カード発行制御装置２０は、正しい鍵か否かを照合するためのキーデータと利用者の静脈情報とを含む施解錠情報を記憶した施解錠カード１０を発行する。カード式電気錠３０は、錠前の施解錠時に施解錠カード１０の施解錠情報を非接触通信により取得し、施解錠情報に含まれる静脈情報を認証用のキーデータとともに記憶手段３２に記憶しており、キーデータと認証用のキーデータとの照合による正当性の判別、施解錠情報取得後の扉の開閉操作時に読み取った利用者の静脈情報と記憶手段３２の認証用の静脈情報との照合による正当性の判別を行い、キーデータと静脈情報の両方を正常に認証したときのみ錠前を電気的に施解錠制御する。【選択図】図１
2007205132.tif 000002
【特許請求の範囲】
【請求項１】
正しい鍵か否かを照合するためのキーデータと利用者の静脈情報とを含む施解錠情報を記憶した施解錠カードを発行するカード発行制御装置と、
前記施解錠カードを用いた錠前の施解錠時に、該施解錠カードから取得した前記キーデータと前記利用者の静脈情報の両方の正当性を判別し、何れも正常に認証したときに前記錠前を電気的に施解錠制御するカード式電気錠とを備えたことを特徴とするカードロックシステム。
【請求項２】
前記カード式電気錠は、前記錠前の施解錠操作時に前記施解錠カードに記憶された施解錠情報を非接触通信により取得するカード情報取得手段と、
扉の開閉操作時に前記利用者の静脈情報を読み取る静脈情報読取手段と、
前記キーデータの正当性を判別するための認証用キーデータを記憶するとともに、前記カード情報取得手段が取得した前記施解錠カード内の静脈情報を認証用の静脈情報として一時的に記憶する記憶手段と、
前記カード情報取得手段が取得したキーデータと予め前記記憶手段に記憶された認証用キーデータとを照合するとともに、前記記憶手段が一時的に記憶する認証用の静脈情報と前記静脈情報読取手段が読み取った静脈情報とを照合してこれらの正当性を判別し、何れも正常に認証したときのみ前記錠前を電気的に施解錠制御する電気錠制御手段とを備えたことを特徴とする請求項１記載のカードロックシステム。
【請求項３】
前記電気錠制御手段は、前記カード情報取得手段が取得する施解錠情報のキーデータを正常に認証したときに該施解錠情報の静脈情報を認証用の静脈情報として前記記憶手段に一時的に記憶し、前記利用者の静脈情報の照合による正当性の判別後に、前記記憶手段が一時的に記憶している認証用の静脈情報を抹消することを特徴とする請求項２記載のカードロックシステム。
【請求項４】
前記静脈情報読取手段は、前記扉の開閉操作部位に設けられることを特徴とする請求項１〜３の何れかに記載のカードロックシステム。
【発明の詳細な説明】
【技術分野】
【０００１】
本発明は、錠前の施解錠に必要な施解錠情報を記憶させた施解錠カードを発行し、この施解錠カードを用いて錠前を施解錠する際に、施解錠カード内の施解錠情報の正当性を判別して正常に認証したときのみ錠前を電気的に施解錠制御するカードロックシステムに係り、特に施解錠情報を記憶した施解錠カードを紛失した場合であっても他人による不正使用を防止することができるカードロックシステムに関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種カード情報が記憶されたカード状記憶媒体を鍵カードとして用い、この鍵カードに記憶された各種データ（例えば特定の暗号による施解錠データ）を読み取り、読み取った各種カード情報を予め登録された情報と照合して正当性を判別し、正常に認証した場合のみ、そのときの錠前の状態（扉の開閉状態、錠前の施解錠状態）に応じて錠前を電気的に施解錠制御するものである。
【０００３】
このようなカード式電気錠は、ピッキング等の不正な施解錠行為を防止し、且つ、鍵の複製が非常に困難なため、セキュリティー面において信頼されている。また、各鍵カード毎の各種データをホストコンピューターで管理しているため、データ破損等の心配がなく、鍵カードを紛失した場合においても鍵カードを再発行することが可能である。そして、このようなカード式電気錠を用いたカードロックシステムとしては、例えば下記特許文献１に開示される出入管理システムが知られている。
【０００４】
特許文献１に開示される出入管理システム１０１は、図３に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００５】
カードコントローラ１０６は、電気錠１０３に接続された唯一の電気錠駆動部Ｋ（１０４，１０５）と、複数の磁気カードリーダ１０４および１０５のうち何れかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９で接続されている。
【特許文献１】特開２００１−２４１２２６号公報
【発明の開示】
【発明が解決しようとする課題】
【０００６】
ところで、この種のカードロックシステムを例えばホテルに採用した場合には、フロント等に設置された例えばパソコン等の管理用端末の操作により、正しい鍵か否かを照合するための施解錠情報として例えばホテル情報、チェックイン・チェックアウトの日付、宿泊者名、部屋番号、シーケンス番号等のキーデータを磁気カードやＩＣカード等に記憶させ、このキーデータが記憶された施解錠カードをチェックイン時に宿泊者に発行している。宿泊者が宿泊部屋に入室する場合には、チェックイン時に発行された施解錠カードのキーデータを宿泊部屋のカード式電気錠の接触式のカードリーダ／ライタに読み込ませる。カード式電気錠では、施解錠カードから読み込んだキーデータと、予め登録された認証用キーデータとを照合して正当性を判別し、正常に認証したときのみ錠前を電気的に解錠制御する。これにより、その宿泊部屋への入室が行えるようになっている。
【０００７】
また、ホテル滞在中に宿泊者が施解錠カードを紛失した場合は、例えばフロントに出向き、施解錠カードを紛失した旨をホテル従業員に伝えると、ホテル従業員が管理用端末を操作して新たな施解錠カードを再発行する。そして、この再発行された施解錠カードのキーデータを対象となるカード式電気錠のカードリーダ／ライタに読み込ませて認識させると、紛失した施解錠カードの情報が無効となり、そのカードが使用できないようになっている。
【０００８】
このように、従来のカードロックシステムでは、カード式電気錠の錠前を解錠する際の認証をチェックイン時に発行される施解錠カードのキーデータ（施解錠情報）のみで行っていた。そして、施解錠カードを紛失してしまった場合には、宿泊者からホテル従業員に対して施解錠カードの紛失の旨が伝えられた時点で施解錠カードの再発行が行われ、この再発行された施解錠カードのキーデータを対象となるカード式電気錠のカードリーダ／ライタに読み込ませて認識させなければ、紛失した施解錠カードを使用不可にすることができなかった。
【０００９】
従って、従来のカードロックシステムでは、施解錠カードを紛失した場合、再発行された施解錠カードのキーデータを対象となるカード式電気錠のカードリーダ／ライタに読み込ませて認識させるまでの間は紛失した施解錠カードの使用が可能となっている。このため、再発行された施解錠カードをカード式電気錠に認識させるまでの間に紛失した施解錠カードが拾われて不正使用されると、カード式電気錠側では施解錠カードの正規利用者と不正利用者との区別をすることができず、その施解錠カードのキーデータが正常に認証されて錠前が解錠してしまい、紛失した施解錠カードが不正利用される恐れがあった。
【００１０】
また、従来のカードロックシステムでは、施解錠カードをカード式電気錠のカードリーダ／ライタのカード挿入口に挿入し、施解錠カードからキーデータを接触式で読み込んでいるので、カードリーダ／ライタの接点磨耗の他、カード挿入口への異物（砂、埃、汗等）の混入、振動等によってデータ読み取りの信頼性の低下を招いていた。
【００１１】
そこで、本発明は上記問題点に鑑みてなされたものであり、鍵に代わる施解錠カードを紛失した場合であっても不正に施解錠することができず、防犯性に優れたカードロックシステムを提供することを目的とするものである。
【課題を解決するための手段】
【００１２】
上記した目的を達成するために、請求項１に記載されたカードロックシステムは、正しい鍵か否かを照合するためのキーデータと利用者の静脈情報とを含む施解錠情報を記憶した施解錠カードを発行するカード発行制御装置と、
前記施解錠カードを用いた錠前の施解錠時に、該施解錠カードから取得した前記キーデータと前記利用者の静脈情報の両方の正当性を判別し、何れも正常に認証したときに前記錠前を電気的に施解錠制御するカード式電気錠とを備えたことを特徴とする。
【００１３】
請求項２に記載されたカードロックシステムは、請求項１記載のカードロックシステムにおいて、
前記カード式電気錠は、前記錠前の施解錠操作時に前記施解錠カードに記憶された施解錠情報を非接触通信により取得するカード情報取得手段と、
扉の開閉操作時に前記利用者の静脈情報を読み取る静脈情報読取手段と、
前記キーデータの正当性を判別するための認証用キーデータを記憶するとともに、前記カード情報取得手段が取得した前記施解錠カード内の静脈情報を認証用の静脈情報として一時的に記憶する記憶手段と、
前記カード情報取得手段が取得したキーデータと予め前記記憶手段に記憶された認証用キーデータとを照合するとともに、前記記憶手段が一時的に記憶する認証用の静脈情報と前記静脈情報読取手段が読み取った静脈情報とを照合してこれらの正当性を判別し、何れも正常に認証したときのみ前記錠前を電気的に施解錠制御する電気錠制御手段とを備えたことを特徴とする。
【００１４】
請求項３に記載されたカードロックシステムは、請求項２記載のカードロックシステムにおいて、
前記電気錠制御手段は、前記カード情報取得手段が取得する施解錠情報のキーデータを正常に認証したときに該施解錠情報の静脈情報を認証用の静脈情報として前記記憶手段に一時的に記憶し、前記利用者の静脈情報の照合による正当性の判別後に、前記記憶手段が一時的に記憶している認証用の静脈情報を抹消することを特徴とする。
【００１５】
請求項４に記載されたカードロックシステムは、請求項１〜３の何れかに記載のカードロックシステムにおいて、
前記静脈情報読取手段は、前記扉の開閉操作部位に設けられることを特徴とする。
【発明の効果】
【００１６】
本発明のカードロックシステムによれば、キーデータと静脈情報との二重認証を行うので、錠前を施解錠するために必要不可欠なカードを紛失した場合であっても、本人で無い限り紛失したカードが使用不可となり、紛失したカードを他人に悪用されることがなく、防犯性の向上を図ることができる。また、非接触通信によってカード式電気錠がカードの情報を取得するので、情報を取得する上での指向性が無くなり、データの通信エラーを防ぐことができる。しかも、従来のようなカードリーダ／ライタのカード挿入口にカードを差し込む必要がなく、接点磨耗、異物、振動等による信頼性の低下を抑制することができる。
【発明を実施するための最良の形態】
【００１７】
以下、本発明の最良の形態について、添付した図面を参照しながらそれぞれ説明する。図１は本発明に係るカードロックシステムのブロック構成図、図２は同システムの処理動作を説明するためのフローチャート図である。
【００１８】
本例のカードロックシステムは、例えばホテル客室、住宅玄関扉、事務出入り口等に採用される。ここでは、ホテル客室に採用した場合のカードロックシステムを例にとって説明する。このカードロックシステムでは、例えばホテル情報、チェックイン・チェックアウトの日付、宿泊者名、部屋番号、カードの有効・無効を示すシーケンス情報等のキーデータ（正しい鍵か否かを照合するための各種情報）とともに利用者の静脈情報（カード利用者本人か否かを照合するための情報）を施解錠情報として記憶した施解錠カードを発行している。錠前の施解錠時には、施解錠カードから非接触通信により取得したキーデータと予めカード式電気錠に登録される認証用のキーデータとを照合して正当性を判別する。その際、施解錠カードから取得した利用者の静脈情報をカード式電気錠の記憶手段に一時的に記憶して登録しておく。そして、施解錠カードからの施解錠情報の取得後の扉の開閉操作（例えばハンドル操作）に伴って取得した利用者の静脈情報と既に記憶手段に登録されている認証用の静脈情報とを照合して正当性を判別し、キーデータと静脈情報の両方を正常に認証したときのみ錠前を電気的に施解錠制御している。
【００１９】
以下、本例のカードロックシステムの構成について説明する。図１に示すように、本例のカードロックシステム１は、キーデータと利用者の静脈情報を含む施解錠情報を記憶した施解錠カード１０を発行するために例えばホテルのフロントや管理室等に設置されたカード発行制御装置２０と、客室毎に設置されたカード式電気錠３０とを備えて概略構成される。
【００２０】
本例で錠前を施解錠する鍵として使用する施解錠カード１０は、ＣＰＵ、ＲＯＭ、ＲＡＭ、フラッシュＲＡＭ等を含むＩＣチップを搭載し、非接触通信によるリード／ライトが可能なスマートカードと称するカード状記憶媒体で構成される。施解錠カード１０は、客室毎に配設されたカード式電気錠３０の所定箇所（通信可能範囲）に近接させてカード式電気錠３０との間で非接触通信により情報の送受が行えるようになっている。
【００２１】
カード発行制御装置２０は、チェックイン時に宿泊者に発行される施解錠カード１０に関する管理、施解錠カード１０の発行に関する各種処理制御等を行っており、静脈情報取得装置２１、情報制御端末２２、カード発行器２３を備えている。以下、各構成について説明する。
【００２２】
静脈情報取得装置２１は、例えば掌や指先等の静脈パターンにより人体の特徴を利用するバイオメトリクス認証（生体認証）の一つである静脈認証に必要な静脈パターンを読み取る装置で構成される。静脈情報取得装置２１では、宿泊者の掌や指先に近赤外線を照射して掌や指先の静脈パターンを読み取り、この読み取った静脈パターンのソフトウェア解析を行い、この解析した静脈パターンを利用者の静脈情報として情報制御端末２２に出力している。
【００２３】
情報制御端末２２は、例えばパソコン等の端末装置で構成され、情報作成制御手段２２ａ、情報記憶手段２２ｂ、操作手段２２ｃ、表示手段２２ｄを備えている。情報制御装置２２は、静脈情報取得装置２１とカード発行器２３に対して、それぞれ通信ケーブルを介してデータ通信可能に接続されている。
【００２４】
情報作成制御手段２２ａは、例えばＣＰＵやＲＯＭ、ＲＡＭ等のマイクロコンピュータで構成され、施解錠カード１０の発行時に書き込まれる各種情報の作成や処理制御を行っている。さらに説明すると、情報作成制御手段２２ａは、各客室毎に設置されるカード式電気錠３０の錠前を施解錠する際に必要な情報として、例えばホテル情報、チェックイン・チェックアウトの日付、宿泊者名、部屋番号、シーケンス情報等のキーデータ（正しい鍵か否かを照合するための情報）、カード式電気錠３０の設定情報、カード式電気錠３０の管理に必要な情報（例えば発行日時、使用期限日時や利用者情報等）を含む各種カード情報を作成している。情報作成制御手段２２ａは、作成した各種カード情報と静脈情報取得装置２１からの静脈情報とを、情報記憶手段２２ｂとカード発行器２３のそれぞれに出力している。
【００２５】
情報記憶手段２２ｂは、例えば磁気的、光学的記憶媒体や半導体メモリ等で構成され、情報作成制御手段２２ａで作成されたキーデータを含む各種カード情報、静脈情報取得装置２１からの静脈情報の他、カード発行制御装置２０全体の駆動制御や出力制御に関する様々な情報を記憶している。
【００２６】
操作手段２２ｃは、例えばテンキーや操作ボタン等で構成され、各種カード情報を作成する際の情報入力、カード発行制御装置２０を構成する各機器の操作情報等の各種情報の入力、施解錠カード１０への施解錠情報の書き込み等を行う際に操作される。
【００２７】
表示手段２２ｄは、例えばＣＲＴや液晶ディスプレイ等の表示機器で構成され、情報作成制御手段２２ａが作成したキーデータを含む各種カード情報や静脈情報等の施解錠カード１０に書き込まれる情報、操作手段２２ｃから入力された情報や設定画面等のカード発行制御装置２０に関する各種情報を表示している。
【００２８】
カード発行器２３は、情報制御端末２２からの各種情報を入出力するための入出力機能と、情報制御端末２２で作成されたキーデータを含む各種カード情報、静脈情報取得装置２１が取得した利用者の静脈情報を含む施解錠情報を施解錠カード１０に書き込むためのデータ書込機能とを備えたカードリーダ／ライタで構成される。
【００２９】
カード式電気錠３０は、各客室の扉や扉付近に設置され、カード情報取得手段３１、記憶手段３２、静脈情報読取手段３３、電気錠制御手段３４、駆動機構３５、電源部３６を備えて構成される。以下、各構成について説明する。
【００３０】
カード情報取得手段３１は、カード発行制御装置２０により発行され宿泊者に手渡される施解錠カード１０のカード情報（キーデータ、利用者の静脈情報を含む）を非接触通信によって取得し、この取得したカード情報を記憶手段３２と電気錠制御手段３４のそれぞれに出力している。
【００３１】
記憶手段３２は、例えば磁気的、光学的記憶媒体若しくはＲＯＭ、ＲＡＭ等の半導体メモリで構成され、カード情報取得手段３１が取得したキーデータが正当な情報であるか否かを判別するための認証用キーデータ、モニタ情報としての状態信号（扉の開閉状態信号や錠前の施解錠状態信号）等のカード式電気錠３０の施解錠制御に必要な各種データを記憶している。また、記憶手段３２は、カード情報取得手段３１がキーデータとともに取得した利用者の静脈情報を認証用の静脈情報として一時的に記憶している。
【００３２】
尚、記憶手段３２が一時的に記憶する利用者の静脈情報は、利用者による扉の開閉操作時の静脈情報の照合による正当性の判別が終了すると抹消されるようになっている。そして、新たにカード情報取得手段３１が施解錠カード１０から静脈情報を取得すると、その取得された静脈情報が最新の認証用の静脈情報として記憶手段３２に記憶される。この静脈情報の記憶は、カード情報取得手段３１が施解錠カード１０から取得したキーデータが正常に認証されたときに行うのが好ましい。
【００３３】
静脈情報読取手段３３は、例えば各客室の扉に設けられたハンドルやドアノブ等の扉の開閉操作部位に設けられる。静脈情報読取手段３３は、開扉する際に利用者の掌や指先に近赤外線を照射し、掌や指先の静脈パターンを読み取る読取装置で構成される。静脈情報読取手段３３は、利用者が扉開閉操作部位であるハンドルやドアノブを把持して扉を開閉操作した際に、掌や指先の静脈パターンを読み取ってソフトウェア解析を行い、この解析した静脈パターンを利用者の静脈情報として電気錠制御手段３４に出力している。
【００３４】
電気錠制御手段３４は、例えばＣＰＵ、ＲＯＭ、ＲＡＭ等を含むマイクロコンピュータで構成される。電気錠制御手段３４は、カード情報取得手段３１からのキーデータと記憶手段３２に予め記憶された認証用キーデータとを照合して正当性を判別するとともに、施解錠カード１０から施解錠情報を取得した際に記憶手段３２に一時的に記憶した認証用の静脈情報と静脈情報読取手段３３が扉の開閉操作時に取得した利用者の静脈情報とを照合して正当性を判別し、キーデータ及び静脈情報の両方が正常であると認証された場合にのみ、現在の錠前の施解錠状態、扉の開閉状態に応じて錠前を電気的に施解錠制御している。尚、記憶手段３２に対する静脈情報の一時的な記憶は、カード情報取得手段３１が取得したキーデータが正常に認証されたときに行うのが好ましい。
【００３５】
また、電気錠制御手段３４は、錠前の施解錠制御時に、駆動機構３５を駆動させるための駆動制御信号の出力、電源部３６から駆動機構３５への電源供給の制御、錠前からモニタ情報として入力される状態信号（例えば扉の開閉状態信号、錠前の施解錠状態信号）の判別処理等を行っている。
【００３６】
さらに、電気錠制御手段３４は、施解錠カード１０からの施解錠情報の取得後で利用者の静脈情報の照合による正当性が判別されると、記憶手段３２が一時的に記憶している認証用の静脈情報を抹消している。尚、電気錠制御手段３４は、上述したキーデータ及び静脈情報の照合による正当性を判別を行い、キーデータと静脈情報の何れか一方の情報が正常に認証されなけれないときに、異常の旨を知らせる表示や警報を行うようにすることもできる。
【００３７】
駆動機構３５は、例えばモータやソレノイド等の駆動装置と錠前で構成され、電気錠制御手段３４から入力される駆動制御信号により錠前を施錠または解錠するべく駆動し、扉枠の係止穴に対してデッドボルトを突出（施錠時）又は引き込む（解錠時）ことにより錠前が施解錠される。
【００３８】
電源部３６は、例えば商用電源（ＡＣ１００Ｖ）である外部電源で構成され通電金具を介してカード式電気錠３０を構成する各部に電源を供給する。また、電源部３６は、錠前やエスカチオン（化粧板）の内部に着脱可能に設けられる電池で構成し、この電池からカード式電気錠３０を構成する各部に電源を供給することもできる。
【００３９】
次に、上述したカードロックシステム１の一連の処理動作について具体的事例を挙げて説明する。以下の説明では、カードロックシステム１をホテルに採用し、ホテルのフロントで発行された非接触型の施解錠カードを用いて利用者が宿泊部屋に入室する例である。尚、静脈情報読取手段３３は、施解錠カード１０とカード式電気錠３０との間の非接触通信後の利用者の静脈情報を読み取るもので、宿泊部屋のドアノブに設けられたものとして説明する。
【００４０】
ホテル従業員は、フロントでの宿泊客のチェックイン時に、情報制御端末２２で各種カード情報（キーデータを含む）を作成すると共に、静脈情報取得装置２１により宿泊客の静脈情報を取得し、これらの情報を施解錠情報として記憶させた施解錠カード１０をカード発行器２３によって発行する（ＳＴ１）。宿泊客が宿泊部屋に入室する場合には、発行された施解錠カード１０を持って宿泊部屋に出向き、施解錠カード１０をカード式電気錠３０のカード情報取得手段３１に近接させ、施解錠カード１０とカード情報取得手段３１との間で非接触通信を行う（ＳＴ２）。これにより、カード情報取得手段３１が施解錠カード１０に記憶された施解錠情報を取得し、この取得した施解錠情報に含まれる静脈情報が認証用の静脈情報として記憶手段３２に一時的に記憶される（ＳＴ３）。その後、宿泊客がフロントで静脈パターンを登録した側の手でドアノブを操作し、静脈情報読取手段３３によって静脈情報を読み取らせる（ＳＴ４）。
【００４１】
これにより、カード式電気錠３０は、施解錠カード１０に記憶されたキーデータと予め記憶した認証用キーデータとを照合するとともに、記憶手段３２に一時的に記憶された静脈情報とドアノブの操作時に読み取った静脈情報とをそれぞれ照合して正当性を判別する（ＳＴ５）。そして、キーデータ及び静脈情報が共に正常に認証されると（ＳＴ５−Ｙｅｓ）、現在の錠前が施錠状態で閉扉状態であれば錠前を解錠制御する。これにより、その宿泊部屋への入室が可能となる。これに対し、キーデータ及び静脈情報の少なくとも一方が異常であると判別されると（ＳＴ５−Ｎｏ）、錠前は解錠制御されず、錠前及び扉は現在の状態（施錠状態、閉扉状態）を維持する。そして、上記キーデータ及び静脈情報の照合による正当性の判別が終了すると、記憶手段３２に一時的に記憶されている静脈情報が抹消される。
【００４２】
尚、上述した動作において、記憶手段３２に一時的に記憶される静脈情報は、施解錠カード１０から取得したキーデータを正常に認証した後に行うのが好ましい。この場合、カード式電気錠３０は、施解錠カード１０から取得したキーデータを正常に認証した後、扉の開閉操作時に静脈情報読取手段３３が取得した静脈情報を、記憶手段３２に一時的に記憶された静脈情報と照合し、その正当性を判別する。そして、キーデータ及び静脈情報の両方が正常に認証されたときのみ、現在の錠前の施解錠情報及び扉の開閉状態に応じて錠前を施解錠制御する。
【００４３】
ここで、チェックイン時に発行された施解錠カード１０を紛失した場合には、宿泊者がフロントへ出向いて施解錠カード１０の再発行が申請されると、新たな施解錠カード１０がカード発行制御装置２０によって発行される。その後、再発行された施解錠カード１０を宿泊部屋のカード式電気錠３０のカード情報取得手段３１に近接させると、図２のＳＴ２以降の処理が実行される。そして、ＳＴ３において、電気錠制御手段３４は、カード情報取得手段３１が施解錠カード１０から取得した施解錠情報のキーデータに含まれるシーケンス情報（カードの有効・無効を示す情報）により、紛失した施解錠カード１０が使用できないようにしている。
【００４４】
このように、本例のカードロックシステム１では、キーデータ（正しい鍵か否かを照合するための各種情報）とともに利用者の静脈情報（カード利用者本人か否かを照合するための情報）を施解錠情報としてカードに記憶させて施解錠カード１０を発行する。そして、錠前の施解錠時には、発行された施解錠カード１０から非接触通信により取得したキーデータと予めカード式電気錠３０に登録される認証用のキーデータとを照合して正当性を判別し、その際に施解錠カード１０から取得した利用者の静脈情報をカード式電気錠３０の記憶手段３２に登録しておく。そして、施解錠カード１０からの施解錠情報の取得後の扉の開閉操作（例えばハンドル操作）に伴って取得した利用者の静脈情報と既に記憶手段３２に登録されている認証用の静脈情報とを照合して正当性を判別する。そして、キーデータと静脈情報の両方が正常に認証されたときのみ現在の錠前の施解錠状態及び扉の開閉状態に応じて錠前を電気的に施解錠制御している。
【００４５】
これにより、利用者が施解錠カード１０を紛失し、その紛失したカードを他人が拾得して不正利用しようとしても、キーデータの認証に加えて他人許容率の極めて少ない静脈認証も採用して二重に認証を行うので、利用者本人以外が錠前を不正に施解錠することができず、防犯性能の向上を図ることができる。
【００４６】
また、非接触通信によってカード式電気錠３０が施解錠カード１０の施解錠情報を取得するので、情報を取得する上での指向性が無くなり、データの通信エラーを防ぐことができる。しかも、従来のようなカードリーダ／ライタのカード挿入口にカードを差し込む必要がないので、接点磨耗、異物、振動等による信頼性の低下を抑制することができる。
【００４７】
さらに、施解錠カード１０から取得したキーデータを正常に認証したときに、その施解錠カード１０から取得した静脈情報を認証用の静脈情報として記憶手段３２に一時的に記憶し、利用者の扉の開閉操作時の静脈情報の照合による正当性の判別後に記憶手段３２が記憶している静脈情報を抹消する構成とすれば、常に正常なキーデータによる最新の静脈情報に基づく認証を行うことができ、施解錠不用意に有効な施解錠カード１０を増やすことなく、カード式電気錠３０の施解錠制御を行うことができる。
【図面の簡単な説明】
【００４８】
【図１】本発明に係るカードロックシステムを説明するためのブロック構成図である。
【図２】本発明に係るカードロックシステムの処理動作を説明するためのフローチャート図である。
【図３】従来のカードロックシステムの概略を説明するための説明図である。
【符号の説明】
【００４９】
１  カードロックシステム
１０  施解錠カード
２０  カード発行制御装置
２１  静脈情報取得装置
２２  情報制御端末
２２ａ  情報作成制御手段
２２ｂ  情報記憶手段
２２ｃ  操作手段
２２ｄ  表示手段
２３  カード発行器
３０  カード式電気錠
３１  カード情報取得手段
３２  記憶手段
３３  静脈情報読取手段
３４  電気錠制御手段
３５  駆動機構
３６  電源部
【図１】
2007205132.tif 000003
【図２】
2007205132.tif 000004
【図３】
2007205132.tif 000005